(57)【要約】【解決手段】本明細書にて説明した植込み型レンズは、改変した端縁領域を提供する。一例としての実施の形態において、植込み型レンズは、前面と、後面と、前面及び後面を分離する外端縁面とを含む。前面は、矯正部分と、斜角付き部分とを含むことができる。斜角付き部分は、矯正部分と外端縁面との間に配置することができる。外端縁面は、第一の部分と、第二の部分とを有することができ、第一の部分は後面及び前面と当接し、第二の部分斜角付き部分と更に当接する。改変した端縁領域は、前面と後面との間にてより漸進的な転位部を提供する。【選択図】図３
2008541788.tif 000002
【特許請求の範囲】
【請求項１】
植込み型レンズにおいて、
前面と、後面と、前面と後面との間に配置された端縁面とを有する本体を備え、該前面は、
矯正部分と、
矯正部分と端縁面との間に配置された斜角付き部分とを備える、植込み型レンズ。
【請求項２】
請求項１に記載のレンズにおいて、斜角付き部分は、第一の境界面にて前記矯正部分と当接し、また、第二の境界面にて前記端縁面と当接する、レンズ。
【請求項３】
請求項２に記載のレンズにおいて、前記斜角付き部分は、前記第一の境界面と前記第二の境界面との間にて平坦である、レンズ。
【請求項４】
請求項２に記載のレンズにおいて、前記斜角付き部分は、前記第一の境界面と前記第二の境界面との間にて湾曲している、レンズ。
【請求項５】
請求項２に記載のレンズにおいて、前記端縁面は、第三の境界面にて前記斜角付き部分と当接し、また、第四の境界面にて前記後面と当接する、レンズ。
【請求項６】
請求項５に記載のレンズにおいて、前記端縁面は、前記第三の境界面と前記第四の境界面との間にて平坦である、レンズ。
【請求項７】
請求項５に記載のレンズにおいて、前記端縁面は、前記第三の境界面と前記第四の境界面との間にて湾曲している、レンズ。
【請求項８】
請求項５に記載のレンズにおいて、前記端縁面は、
前記第三の境界面にて前記斜角付き部分と当接する第一の部分と、
前記第四の境界面にて前記後面と当接する第二の部分とを備え、該第一の部分は第五の境界面にて該第二の部分と当接する、レンズ。
【請求項９】
請求項８に記載のレンズにおいて、前記斜角付き部分は、前記第一の境界面と前記第二の境界面との間にて湾曲している、レンズ。
【請求項１０】
請求項９に記載のレンズにおいて、前記端縁面の前記第一の部分は、湾曲し、また、前記第三の境界面から前記第五の境界面まで前記後面に向けて収斂する、レンズ。
【請求項１１】
請求項１０に記載のレンズにおいて、前記端縁面の前記第二の部分は、前記第四の境界面と前記第五の境界面との間にて湾曲している、レンズ。
【請求項１２】
請求項１１に記載のレンズにおいて、前記端縁面の第二の部分は、実質的に０．０１５ミリメートル（ｍｍ）以下の端縁厚さを画成する、レンズ。
【請求項１３】
請求項１に記載のレンズにおいて、前記矯正部分は、
第一の曲率半径を有する第一の実質的に球形の部分と、
第二の曲率半径を有する第二の実質的に球形の部分と、を備える、レンズ。
【請求項１４】
請求項１３に記載のレンズにおいて、前記第一の実質的に球形の部分は、前記第二の実質的に球形の部分を取り囲むリング状部分である、レンズ。
【請求項１５】
請求項１３に記載のレンズにおいて、前記レンズは、眼内に植え込み得る形態とされ、前記第一の実質的に球形の部分は、眼から第一の距離にて視覚を助け得るような形態とされ、前記第二の実質的に球形の部分は、眼から第二の距離にて視覚を助け得るような形態とされ、該第一の距離は、該第二の距離よりも長い、レンズ。
【請求項１６】
請求項１３に記載のレンズにおいて、前記レンズは、眼内に植え込み得る形態とされ、前記第一の実質的に球形の部分は、眼から第一の距離にて視覚を助け得るような形態とされ、前記第二の実質的に球形の部分は、眼から第二の距離にて視覚を助け得るような形態とされ、該第一の距離は、該第二の距離よりも短い、レンズ。
【請求項１７】
請求項１に記載のレンズにおいて、前記矯正部分は、第一の実質的に非球形の部分と、第二の実質的に非球形の部分とを備える、レンズ。
【請求項１８】
請求項１７に記載のレンズにおいて、前記第一の実質的に非球形の部分は、前記第二の実質的に非球形の部分を取り囲むリング状部分である、レンズ。
【請求項１９】
請求項１に記載のレンズにおいて、前記本体は、老眼を治療する形態とされる、レンズ。
【請求項２０】
請求項１に記載のレンズにおいて、前記本体は、
第一の屈折率を有する第一の領域と、
第一の屈折率と異なる第二の屈折率を有する第二の領域とを備える、レンズ。
【請求項２１】
請求項２０に記載のレンズにおいて、前記第一の領域は、角膜を実質的に維持するのに十分な量の水及び栄養物に対して透過可能である、レンズ。
【請求項２２】
請求項２１に記載のレンズにおいて、前記第二の領域は、前記第一の領域よりも相対的に低い透過率を有する、レンズ。
【請求項２３】
請求項２０に記載のレンズにおいて、前記第二の領域は、流体及び栄養物に対して不透過性である、レンズ。
【請求項２４】
請求項２０に記載のレンズにおいて、前記第一の領域は、第一の重合系材料から成り、また、前記第二の領域は、第二の重合系材料から成り、該第一及び第二の領域は、互いに一体的に連結される、レンズ。
【請求項２５】
植込み型レンズにおいて、
第一の領域と、第二の領域とを有する本体を備え、
前記第一の領域は、第一の屈折率を有し、前記第二の領域は、第一の屈折率と異なる第二の屈折率を有し、
前記第一の領域は、前記本体に隣接する組織を実質的に維持するのに十分な量の流体及び栄養物に対して透過可能であり、また、前記第二の領域は、前記第一の領域の透過率よりも相対的に低い透過率を有する、植込み型レンズ。
【請求項２６】
請求項２５に記載のレンズにおいて、隣接する組織は角膜組織である、レンズ。
【請求項２７】
請求項２５に記載のレンズにおいて、前記本体は外側端縁面を有し、前記第一の領域は前記本体の中央部分に配置され、前記第二の領域は、前記第一の領域と前記外側端縁面の間に配置される、レンズ。
【請求項２８】
請求項２５に記載のレンズにおいて、前記レンズは、眼内に植え込み得る形態とされ、前記第一の領域は、眼から第一の距離にて視覚を助け得るような形態とされ、前記第二の領域は、眼から第二の距離にて視覚を助け得るような形態とされ、前記第一の距離は、前記第二の距離よりも長い、レンズ。
【請求項２９】
請求項２５に記載のレンズにおいて、前記レンズは、眼内に植え込み得る形態とされ、前記第一の領域は、眼から第一の距離にて視覚を助け得るような形態とされ、前記第二の領域は、眼から第二の距離にて視覚を助け得るような形態とされ、前記第一の距離は、前記第二の距離よりも短い、レンズ。
【請求項３０】
請求項２５に記載のレンズにおいて、前記本体は、前記第一及び第二の屈折率と相違する第三の屈折率を有する第三の領域を備える、レンズ。
【請求項３１】
請求項２５に記載のレンズにおいて、前記本体は、実質的に球形の前面を有する、レンズ。
【請求項３２】
請求項２５に記載のレンズにおいて、前記本体は、実質的に非球形の前面を有する、レンズ。
【請求項３３】
請求項２５に記載のレンズにおいて、前記第二の領域は、流体及び栄養物に対して不透過性である、レンズ。
【請求項３４】
請求項２５に記載のレンズにおいて、前記第一の領域は、第一の重合系材料から成り、また、前記第二の領域は、第二の重合系材料から成り、前記第一及び第二の領域は、互いに一体的に連結される、レンズ。
【請求項３５】
請求項２５に記載のレンズにおいて、前記第一の屈折率は、角膜の屈折率と実質的に同様である、レンズ。
【請求項３６】
請求項２５に記載のレンズにおいて、前記本体は、角膜インレーの形態とされる、レンズ。
【請求項３７】
請求項２５に記載のレンズにおいて、前記本体は、角膜アンレーの形態とされる、レンズ。
【請求項３８】
請求項２５に記載のレンズにおいて、前記本体は、前面と、後面と、前面と後面との間に配置された端縁面とを有し、該前面は、
矯正部分と、
矯正部分と端縁面との間に配置された斜角付き部分とを備える、レンズ。
【請求項３９】
請求項３８に記載のレンズにおいて、前記斜角付き部分は、第一の境界面にて前記矯正部分と当接し、第二の境界面にて前記端縁面と当接し、また、前記斜角付き部分は、前記第一の境界面と前記第二の境界面との間にて平坦である、レンズ。
【請求項４０】
請求項３８に記載のレンズにおいて、前記斜角付き部分は、第一の境界面にて前記矯正部分と当接し、第二の境界面にて前記端縁面と当接し、また、前記斜角付き部分は、前記第一の境界面と前記第二の境界面との間にて湾曲している、レンズ。
【請求項４１】
請求項３８に記載のレンズにおいて、前記端縁面は、第三の境界面にて前記斜角付き部分と当接し、第四の境界面にて前記後面と当接し、また、前記端縁面は、前記第三の境界面と前記第四の境界面との間にて平坦である、レンズ。
【請求項４２】
請求項３８に記載のレンズにおいて、前記端縁面は、第三の境界面にて前記斜角付き部分と当接し、第四の境界面にて前記後面と当接し、また、前記端縁面は、前記第三の境界面と前記第四の境界面との間にて湾曲している、レンズ。
【請求項４３】
植込み型レンズを製造する方法において、
第一の屈折率を有する第一のポリマーから成る第一のコアを形成するステップと、
前記第一のコアの少なくとも一部分の回りに境界面領域を形成するステップと、
前記境界面領域の少なくとも一部分の回りに第一の屈折率と異なる第二の屈折率を有する第二のポリマーから成る、第二のコアを形成するステップと、
前記第一及び第二のコアから植込み型レンズを形成するステップとを備える、植込み型レンズを製造する方法。
【請求項４４】
請求項４３に記載の方法において、前記境界面領域は、前記第一のポリマーと前記第二のポリマーとの混合体を備える、方法。
【請求項４５】
請求項４４に記載の方法において、前記境界面領域は、前記第一及び第二の屈折率と異なる第三の屈折率を有する、方法。
【請求項４６】
請求項４３に記載の方法において、前記境界面領域を形成するステップは、
前記第一のコアと接触する状態にて単量体溶液を配置するステップを備え、前記第一のポリマーは、単量体溶液中にて可溶性であり、
前記第一のコアの一部分を前記単量体溶液中にて溶解させ、前記単量体溶液及び前記第一のコアの溶解した部分が前記境界面領域内にて混合するようにするステップと、
前記単量体溶液と前記第一のコアの溶解した部分との混合体を重合化して前記境界面領域を形成するステップとを備える、方法。
【請求項４７】
請求項４６に記載の方法において、前記第一のコアの溶解した部分と混合されていない単量体溶液を重合化して前記第二のコアを形成するステップとを更に備える、方法。
【請求項４８】
請求項４３に記載の方法において、前記第一のコア及び第二のコアは、前記境界面領域により互いに一体的に連結される、方法。
【請求項４９】
請求項４３に記載の方法において、前記境界面領域は、前記第一のポリマーと前記第二のポリマーとの互いに侵入する回路網を備える、方法。
【請求項５０】
請求項４３に記載の方法において、前記第一の領域は、角膜を実質的に維持するのに十分な量の流体及び栄養物に対して透過性である、方法。
【請求項５１】
請求項５０に記載の方法において、前記第二の領域は、前記第一の領域よりも相対的に低透過性である、方法。
【請求項５２】
請求項５１に記載の方法において、前記第二の領域は、流体及び栄養物に対して不透過性である、方法。
【請求項５３】
請求項４３に記載の方法において、前記第二の領域は、角膜を実質的に維持するのに十分な量の流体及び栄養物に対して透過性である、方法。
【請求項５４】
植込み型レンズにおいて、
第一の非球面性（Ｑ）を有する第一の実質的に非球形面と、第一の非球面性と異なる第二の非球面性（Ｑ）を有する第二の実質的に非球形面とを含む、本体を備える、植込み型レンズ。
【請求項５５】
請求項５４に記載のレンズにおいて、前記第一の非球形面は、眼から第一の距離にて視覚を助け得るような形態とされ、前記第二の非球形面は、眼から第二の距離にて視覚を助け得るような形態とされ、前記第一の距離は、前記第二の距離よりも長い、レンズ。
【請求項５６】
請求項５４に記載のレンズにおいて、前記第一の非球形面は、眼から第一の距離にて視覚を助け得るような形態とされ、前記第二の非球形面は、眼から第二の距離にて視覚を助け得るような形態とされ、前記第一の距離は、前記第二の距離よりも短い、レンズ
【請求項５７】
請求項５４に記載のレンズにおいて、前記本体は、前面と、後面とを更に備え、該前面は、前記第一及び第二の非球形面が配置された矯正部分を備える、レンズ。
【請求項５８】
請求項５７に記載のレンズにおいて、前記第一の非球形面は、リング状であり、また、前記第二の非球形面を取り囲む、レンズ。
【請求項５９】
請求項５７に記載のレンズにおいて、前記本体は、前記前面と前記後面との間に配置された端縁面を更に備える、レンズ。
【請求項６０】
請求項５９に記載のレンズにおいて、前記前面は、前記矯正部分と前記端縁面との間に配置された斜角付き部分を更に備える、レンズ。
【請求項６１】
請求項６０に記載のレンズにおいて、前記斜角付き部分は、第一の境界面にて前記矯正部分と当接し、第二の境界面にて前記端縁面と当接し、また、前記斜角付き部分は、前記第一の境界面と前記第二の境界面との間にて平坦である、レンズ。
【請求項６２】
請求項６０に記載のレンズにおいて、前記斜角付き部分は、第一の境界面にて前記矯正部分と当接し、第二の境界面にて前記端縁面と当接し、また、前記斜角付き部分は、前記第一の境界面と前記第二の境界面との間にて湾曲している、レンズ。
【請求項６３】
請求項６０に記載のレンズにおいて、前記端縁面は、第三の境界面にて前記斜角付き部分と当接し、第四の境界面にて前記後面と当接し、また、前記端縁面は、前記第三の境界面と前記第四の境界面との間にて平坦である、レンズ。
【請求項６４】
請求項６０に記載のレンズにおいて、前記端縁面は、第三の境界面にて前記斜角付き部分と当接し、第四の境界面にて前記後面と当接し、また、前記端縁面は、前記第三の境界面と前記第四の境界面との間にて湾曲している、レンズ。
【発明の詳細な説明】
【技術分野】
【０００１】
本発明の分野は、全体として、植込み型レンズ、より具体的には、端縁領域が改変された植込み型レンズに関する。
【背景技術】
【０００２】
周知であるように、人間の眼の異常は、視覚障害に到る可能性がある。ある典型的な異常は、近視、遠視及び乱視に到る可能性のある眼の形状の変化及び老眼に到る可能性のある水晶体の弾性の低下のような、眼全体に渡って存在する組織の変化を含む。一般に、植込み型レンズと称される特定の装置は、上記及びその他の視覚障害を成功裏に治療するため使用されている。
【発明の開示】
【発明が解決しようとする課題】
【０００３】
植込み型レンズは、典型的に、眼の自然の水晶体に置換するため眼内に深く植え込むことのできる眼内レンズ（ＩＯＬｓ）と、典型的に、入射光を変化させ得るように角膜内にて眼の表面付近に植え込まれる角膜インプラントという、２種類の１つに属する。一方、角膜インプラントは、アンレー（ｏｎｌａｙ）又はインレー（ｉｎｌａｙ）に区分することができる。アンレーは、例えば、上皮のような角膜の外層がインプラントの上にて成長し且つインプラントを取り囲むように、角膜上に配置されるインプラントである。インレーは、例えば、ケラトフィケア（ｋｅｒａｔｏｐｈａｋｉａ）を使用して角膜組織の一部分の下方にて角膜内に外科的に植え込まれるインプラントである。角膜インレーを植え込む一例としての方法は、その内容の全体を参考として引用し本明細書に含めた、２００４年、８月２３日付けで出願された、同時出願係属中の米国特許出願明細書１０／９２４，１５２号に更に詳細に記載されている。
【０００４】
角膜インプラントは、角膜組織中に配置されるため、組織がインプラントに対して好ましくなく反応して望ましくない状態を形成するのを防止することに顕著な関心が持たれる。例えば、細胞の分泌及び角膜実質細胞の蓄積といったような特定の好ましくない組織の反応は、角膜の濁りと称される望ましくない状態を引き起こす可能性がある。角膜の濁りは、光が角膜及びインプラントを通って進むのを妨害し、これにより、視覚障害を適正に治療することを妨げる。角膜の濁りは、多数の作用を及ぼすが、これは、少なくとも部分的に、角膜組織内にて角膜実質細胞上に加えられた機械的力による影響を受ける可能性があることの証拠がある。
【０００５】
更に、幾つかを挙げれば、非球形のインプラント及び浅い球形のインプラントのような、外端縁の回りにて比較的平坦である一部の角膜インプラントは、端縁の持ち上がりという欠点がある。端縁の持ち上がりは、外端縁の回りのインプラントの前面が頂点に向けて湾曲し又は後方に持ち上がるときに生じる。図１は、図示する目的のため、誇張して示した、端縁の持ち上がりという欠点を有する従来の角膜インプラント２０の断面図である。この場合、インプラント２０は、外端縁２１と、前面２２と、頂点２３と、後面２４とを有している。理想的な端縁の輪郭外形は破線１０で示されている。理想的な場合、前面２２における最後方点は、外端縁２１上に配置されている。しかし、端縁の持ち上がりという欠点を有するレンズにおいて、前面２２の最後方点は、外端縁２１よりも頂点２３に近い位置２４に配置することがある。端縁の持ち上がりは、時間−遺伝のため、進行し且つ累積し、その結果、光学的性能は劣化し、また、植込み過程をより困難なものとする可能性がある。
【０００６】
従って、レンズの存在に対する望ましくない生理学的応答を減少させると共に、端縁の持ち上がりというリスクを減少させる改良された植込み型レンズが必要とされている。
【課題を解決するための手段】
【０００７】
植込み型レンズ及び植込み型レンズを製造する方法の実施の形態は、単に一例として且つ、本発明を限定することを意図せずに、本明細書に記載されている。一例としての実施の形態において、前面と、後面と、前面と後面との間に配置された端縁面とを有するレンズ本体を備える植込み型レンズが提供される。前面は、矯正部分と、矯正部分と端縁面との間に配置された斜角付き部分とを含む。斜角付き部分は、第一の境界面にて矯正部分と当接し、また、第二の境界面にて端縁面と当接し、斜角付き部分は、第一の境界面と第二の境界面との間にて平坦又は湾曲し又は任意のその他の望ましい形状とすることができる。端縁面は、第三の境界面にて斜角付き部分と当接し、また、第四の境界面にて後面と当接することができ、また、第三の境界面と第四の境界面との間にて平坦又は湾曲し又は任意のその他の望ましい形状とすることができる。端縁面は、第三の境界面にて斜角付き部分と当接する第一の部分と、第四の境界面にて後面と当接する第二の部分とを含むことができ、第一の部分は第五の境界面にて第二の部分と当接する。端縁面の第一の部分は、平坦とし、湾曲し又は任意のその他の望ましい形状とすることができ、また、第三の境界面から第五の境界面まで後面に向けて収斂することができる。端縁面の第二の部分は、第四の境界面と第五の境界面との間にて平坦とし、湾曲し又は任意のその他の望ましい形状とすることができる。
【０００８】
別の一例としての実施の形態において、第一の領域と、第二の領域とを有し、第一の領域は、第一の屈折率を有し、第二の領域は、第一の屈折率と異なる第二の屈折率を有する、本体を備える植込み型レンズが提供される。第一の領域は、本体に隣接する組織を実質的に維持するのに十分な量の流体及び栄養物に対して透過可能である。第二の領域は、第一の領域と同一の透過率を有することができ、又は、第二の領域は、第一の領域よりも相対的に低透過性率であるようにすることができる。第一及び第二の領域は、望まれる任意の距離を渡って屈折率の矯正効果（すなわち、近／遠、遠／近等）を提供することができ、また、任意の望ましい態様にて配置することができる。レンズは、望まれる任意の曲率を有する前面を備え、また、角膜インレー又はアンレーとして形成することができる。別の一例としての実施の形態において、第一の領域は、第一の重合系材料から成るものとし、また、第二の領域は、第二の重合系材料から成るものとすることができ、第一及び第二の領域は、互いに一体的に連結される。所望に応じて、２つ又はより多くの任意の数の領域を含め、１つ又はより多くの領域が互いに一体的に連結されるようにすることができる。
【０００９】
また、植込み型レンズを製造する一例としての方法も提供され、この方法は、第一の屈折率を有する第一のポリマーを備える第一のコアを形成するステップと、第一のコアの少なくとも一部分の回りに境界面領域を形成するステップと、境界面領域の少なくとも一部分の回りに第一の屈折率と異なる第二の屈折率を有する第二のポリマーを備える、第二のコアを形成するステップと、第一及び第二のコアから植込み型レンズを形成するステップとを備えている。境界面領域は、また、第一のポリマーと第二のポリマーとの混合体を含むことができ、また、第一及び第二の屈折率と異なる第三の屈折率を有し且つ追加的な屈折率の矯正効果を提供し又は、第一の重合系領域と第二の重合系領域との間の漸進的な転位部として作用することができる。境界面領域は、第一のコアと第二のコアとを互いに一体的に連結し且つ、第一のポリマーと第二のポリマーとの互いに侵入する回路網を含むことができる。
【００１０】
一例としての方法は、第一のコアと接触する状態にて単量体溶液を配置するステップを含むことができ、この場合、第一のポリマーは、単量体溶液中にて溶融することができ、第一のコアの一部分を単量体溶液中にて溶解させ、単量体溶液及び溶解した第一のコアの部分が境界面領域内にて混合するようにするステップと、単量体溶液と第一のコアの溶解した部分との混合体を境界面領域内にて重合化するステップとを含むこともできる。
【００１１】
別の実施の形態において、第一の非球面性（Ｑ）を有する第一の実質的に非球形面と、第一の非球面性と異なる第二の非球面性（Ｑ）を有する第二の実質的に非球形面とを含む本体を備える植込み型レンズが提供される。第一及び第二の非球形面は、眼から任意の望まれる距離又は距離の範囲内にて視力を助け得るような形態とすることができ、また、望まれる任意の態様にて配置することができる。
【００１２】
本発明のその他のシステム、方法、特徴及び有利な効果は、以下の図面及び詳細な説明を検討することにより、当該技術の当業者に明らかになるであろう。本明細書に含めた、かかる追加的なシステム、方法、特徴及び有利な効果の全ては、本明細書に含め、本発明の範囲とし、また、請求の範囲により保護されることを意図するものである。また、本発明は、一例としての実施の形態の詳細に限定されることを意図するものではない。
【発明を実施するための最良の形態】
【００１３】
製造、構造及び作用を含む、本発明の詳細は、同様の部分を同様の参照番号にて表示する、添付図面を検討することにより理解することができよう。
レンズに近接して望ましくない組織の反応の刺激を減少させることのできる改変した端縁領域を有する改良された植込み型レンズが本明細書に記載されている。図２Ａないし図２Ｅには、植込み型レンズ１００の一例としての各種の実施の形態が示されている。図２Ａは、植込み型レンズ１００示す斜視図であり、ここで、レンズ１００は、レンズ本体１０１と、前面１０２と、後面１０３と、外端縁面１０４とを有している。図２Ｂは、方向１１０で見たときのレンズ１００の頂面図である。この場合、レンズ本体１０１は、前面１０２の最前方点を表現する中央頂点１０５を有する、全体として、円形の輪郭外形１１９を有している。直径部１１２は、レンズ本体１０１の全直径を表し、直径部１１４は、１つ又はより多くの特定の視覚障害を矯正し得るような形態とされた前面１０２の部分である、矯正部分１２２の直径を表す。
【００１４】
図２Ｃは、図２Ｂの線１−１に沿ったレンズ１００の断面図である。この図から、前面１０２は、頂点１０５と交差する中心軸線１１８に位置する頂点１０８から測定した曲率半径１０６を有して実質的に球形である。同様に、後面１０３は、また、頂点１０９から測定したそれ自体の曲率半径１０７を有している。レンズ１００の矯正倍率は、これらの半径１０６−１０７に依存し、半径１０６−１０７の何れかを調節することにより望むよう変化させることができる。また、この場合、レンズ１００は、遠視を矯正し得る形態とされている、すなわち、後面１０３に対する前面１０２の関係は、レンズ本体１０１に対し、線１−１に沿って収斂するメニスカス様形状を与える。中心軸線１１８に沿ったレンズ本体１０１の厚さは、中心厚さ１４０と称する。
【００１５】
図２Ｄは、図２Ｃの領域１１１を更に詳細に示す、レンズ１００の拡大断面図である。図２Ｄにおいて、前面１０２の矯正部分１２２は、実質的に球形であり、前面１０２は、また、斜角付き部分１２４を有している。この場合、斜角付き部分１２４は、単一の曲率半径にて湾曲しており、斜角半径１２４と称する。本明細書にて使用するように、「斜角」とは、平坦面、湾曲面及び任意のその他の形状の面を含むことを意図するものである。斜角半径１２４は、境界面１２３にて球形部分１２２と当接する。斜角半径１２４に隣接して、外端縁面１０４があり、斜角半径１２４と外端縁面１０４との間の当接部は、境界面１２５と称する。外端縁面１０４は、境界面１２７にて互いに当接する第一の部分１２６と、第二の部分１２８とを含む。第二の端縁面部分１２８は、境界面１２９にて後面１０３と当接する。この場合、第一の端縁面部分１２６は、湾曲しており、端縁半径１２６と称する。この実施の形態において、端縁厚さ１３０は、レンズ本体１０１の最後方点（この場合、境界面１２９）からＺ方向への第二の端縁面部分１２８の高さとして規定される。
【００１６】
図２Ｅは、端縁半径１２６の傾斜を画成する端縁半径の傾斜角度１３２を有する図２Ｄの一例としての実施の形態を示す領域１１１の別の断面図である。端縁半径の傾斜角度１３２は、軸線１３１、１３３の間の角度として規定することができる。この場合、軸線１３１は、中心軸線１１８に対して平行であり且つ、境界面１２５と交差する一方、軸線１３３は、境界面１２５、１２７と交差する。斜角半径１２４の傾斜を画成する斜角半径の傾斜角度１３５も示されている。斜角半径の傾斜角度１３５は、軸線１３４、１３６の間の角度として規定することができる。この場合、軸線１３４は、中心軸線１１８に対して平行であり且つ、境界面１２３と交差し、また、軸線１３６は、境界面１２３、１２５と交差する。
【００１７】
図２Ｄないし図２Ｅに示すように、端縁半径１２６は、斜角半径１２４よりも大きい角度までＺ方向に傾斜することが好ましく、端縁半径１２６は、斜角半径１２４よりも大きい率にて後面１０３に向けて収斂する。傾斜角度にて説明すれば、端縁半径の傾斜角度１３２は、斜角半径の傾斜角度１３５よりも小さいことが好ましい。その結果、レンズ１００は、端縁の持ち上がりが生じ難い。また、球形部分１２２と後面１０３との間の漸進的な転移部分は、レンズ１００に対する好ましくない組織の反応の刺激を減少させることができる。
【００１８】
例えば、図３は、レンズ２０２、眼房水２０３、毛様体２０４、虹彩２０５、レンズ１００の一例としての実施の形態がその内部に植え込まれた角膜２０６を含む人間の眼の前部分を示す断面図である。この場合、レンズ１００は、角膜インレーとして植え込んだ状態にて示されているが、レンズ１００は、角膜２０６の前面に近い位置にて角膜アンレーとして植え込むこともできることを認識すべきである。レンズ１００の端縁領域における漸進的な転位は、前面と後面との間の斜角無しの鋭角な又は急峻な転移部分を有する従来のレンズよりも、取り囲む角膜組織２０７がレンズ１００を受け入れることをより容易にする。その結果、レンズ１００は、角膜の濁り及び同様のもののような、望ましくない状態を生じ難い。更に、植え込む手順の間、レンズ１００の改変した端縁領域は、レンズ１００が適正に向き決めされているかどうか又はレンズ１００が上下逆さであるかどうかを確認することを容易にする。
【００１９】
角膜２０６を支え且つ、組織の壊死を防止するため、角膜２０６内にて流体及び栄養物の十分な移動レベルを維持しなければならない。従って、レンズ本体１０１は、前面１０２及び後面１０３に隣接する角膜組織２０７の間にて流体及び栄養物が移動することを許容するのに十分な透過性を有する材料から成り、望ましい時間に渡って角膜を支えることができることが好ましい。例えば、一例として実施の形態において、レンズ本体１０１は、微孔性ヒドロゲル材料から成っている。細孔性ヒドロゲルは、その内容の全体を参考として引用し本明細書に含めた、「角膜インプラント及び製造方法（Ｃｏｒｎｅａｌ  Ｉｍｐｌａｎｔ  ａｎｄ  Ｍｅｔｈｏｄ  ｏｆ  Ｍａｎｕｆａｃｔｕｒｅ）」という名称の米国特許明細書６，８７５，２３２号に更に詳細に記載されている。
【００２０】
表１には、所定のジオプター（ｄｉｏｐｔｅｒ）を有する５．０ミリメートル（ｍｍ）直径のレンズ１００の１つの実施の形態に対する一例としての値が示されている。これらの一例としての値は、単に説明の目的のためであり、植込み型レンズ１００をこれらの値又は同様の値に何ら限定するものではない。
【００２１】
【表１】
2008541788.tif 000003
【００２２】
端縁厚さ１３０、端縁半径１２６、端縁傾斜角度１３２及び斜角半径１２４の値は、相互に依存し、また、望まれる矯正値、全体的なレンズ直径１１２、矯正部分１２２の直径、前面１０２及び後面１０３の形状に基づくものである。好ましくは、レンズ直径１１２が約１ないし１０ｍｍで矯正部分の直径１１４が約０．５ｍｍ以上のものは、端縁厚さが約０．０１５ｍｍ以下、端縁半径１２６が約０．００１ないし１ｍｍの範囲、端縁傾斜角度１３２が約０ないし９０°の範囲、斜角半径１２４が約１ないし１０ｍｍの範囲となるであろう。これらの範囲は、単に説明の目的のためであり、本明細書に記載した実施の形態を何ら限定するものではない。
【００２３】
本明細書に記載した改変した端縁は、任意の型式、形状、又は形態の植込み型レンズと共に使用することができることを認識すべきである。例えば、レンズ１００は、角膜インレー又はアンレーの何れかとすることができる。レンズ１００は、近視、遠視、乱視及び老眼を含むが、これらにのみ限定されない任意の視覚障害を治療する形態とすることができる。レンズ１００は、また、近視又は遠視を伴なう老眼、又は乱視を伴なう老眼を含むが、これらのみ限定されない視覚障害の任意の組み合わせを治療する形態とすることもできる。レンズ１００の全体的な輪郭外形１１９は、円形、楕円形、不規則形、多面体、及び内側開口を有する形状を含むが、これらにのみ限定されない任意の形状とすることができる。外端面１０４は、固定要素及び同様のもののような、露頭部を有する形態とすることができる。また、レンズ本体１０１は、任意の望ましい屈折率を有する１つ又はより多くの異なる材料にて製造することができる。更に、以下に更に詳細に説明するように、前面１０２の矯正部分１２２は、多焦点領域を有し又は有しない実質的に球形とし、多重非球形面を有し又は有しない実質的に非球形とし、又は任意の組み合わせ又は同様のものとすることができる。本明細書にて使用するように、実質的にという語は、改変した語を拡大することを意図するものである。例えば、実質的に球形面は、完全に球形である必要はなく、実施するのに十分な程度の非球面的変化又は誤り及び同様のものを含むことができる。
【００２４】
図４ないし図９は、図１Ｂの領域１１１内にて線１−１に沿った、レンズ１００の追加的な一例としての実施の形態を示す断面図である。図４に示した実施の形態において、前面１０２の矯正部分１２２は、実質的に非球形である。非球形面の曲率は、典型的に、表面が外端縁面１０４に向けて外方に累進するに伴ない、減少し又は増大する。この実施の形態において、非球形面１２２の曲率は、減少し、このため、表面は、頂点１０５（図示せず）付近よりも外端縁面１０４付近にてより平坦である。前面１０２及び後面１０３は、面１０２−１０３が頂点１０５（図示せず）から境界面１２３に向けて半径方向外方に進行するに伴ない、拡張する。境界面１２３から境界面１２５まで、斜角半径１２４は、後面１０３に向けて収斂することが好ましい。同様に、境界面１２５から境界面１２７まで、端縁半径１２６は、後面１０３に向けて収斂することが好ましい。
【００２５】
前面１０２の斜角付き部分１２４は、平坦、又は湾曲し、あるいは、任意のその他の望ましい形状とすることができる。例えば、図２Ｃないし２Ｅにおいて、斜角付き部分１２４は、球状に湾曲しているが、任意の型式の曲線部を使用することが可能なことを認識すべきである。図５に示した実施の形態において、斜角付き部分１２４は平坦である。同様に、第一及び第二の端縁面部分１２６、１２８は、平坦又は湾曲し、あるいは、その他の望ましい形状とすることができる。例えば、図２Ｃないし図２Ｅにおいて、端縁半径１２６は、実質的に球状に湾曲し、また、第二の端縁面部分１２８は可変の率にて湾曲している。図６に示した実施の形態において、第一の端縁面部分１２６は平坦である一方、図７の実施の形態において、第二の端縁面部分１２８は平坦である。平坦面と湾曲面の任意の組み合わせが実施可能である。例えば、図８において、斜角付き部分１２４、第一及び第二の端縁面部分１２６、１２８は全て平坦である。また、端縁面１０４は、任意の望ましい態様にて実施可能である。例えば、図９において、端縁面１０４は、平坦であり且つ、Ｚ方向にのみ向き決めされている。
【００２６】
図１０Ａは、リング状の形状を有するレンズ１００の別の一例としての実施の形態を示す頂面図である。この場合、レンズ１００は、内側開口３０２と、内側端縁面３０４とを有している。図１０Ｂは、線２−２に沿った図１０Ａに示したレンズ１００の実施の形態の断面図である。この場合、前面１０２は、また、矯正部分１２２と内側端縁面３０４との間に配置された内側斜角付き部分３０６を含む。外側端縁面１０４と同様に、内側端縁面３０４は、この実施の形態において、双方共に湾曲している、第一の部分３０８と、第二の部分３１０とを含む。斜角付き部分３０６は、境界面３０５にて矯正部分１２２と当接し、また、第一の部分３０８は、境界面３０７にて斜角付き部分３０６と当接する。第二の部分３１０は、境界面３０９にて第一の部分３０８と当接し、また、境界面３１１にて後面１０３と当接する。端縁面３０４及び斜角付き部分３０６は、上述した端縁面１０４及び斜角付き部分１２４と同様に、望まれる任意の態様の形状又は形態とすることができることを認識すべきである。図１０Ａ及び図１０Ｂに示した型式のレンズ１００は、その内容の全体を参考として引用し本明細書に含めた、２００５年１月１１日付けで出願された、「中央調節部分を有する近視角膜リング（Ｍｙｏｐｉｃ  Ｃｏｒｎｅａｌ  Ｒｉｎｇ  ｗｉｔｈ  Ｃｅｎｔｒａｌ  Ａｃｃｏｍｍｏｄａｔｉｎｇ  Ｐｏｒｔｉｏｎ）」という名称の同時出願係願中の米国特許出願明細書１１／０３２，９１３号により詳細に記載されている。
【００２７】
上述したように、本明細書にて説明したように端縁が改変されたレンズ１００は、多焦点レンズとして実施することもできる。図１１Ａは、多焦点矯正作用を提供し得る形態とされた植込み型レンズ１００の一例としての実施の形態を示す斜視図である。この場合、レンズ１００は、各々が異なる屈折率を有する２つの矯正領域４０２、４０４を有している。各領域内の異なる屈折率は、異なる距離範囲に渡って視覚障害を矯正することを許容する。例えば、領域４０２、４０４の屈折率は予め設定し、領域４０２が比較的近い距離を渡って屈折を矯正する一方、領域４０４が比較的遠距離を渡って矯正作用を提供するようにし又はその逆であるようにすることができる。２つ又はより多くの矯正領域を任意に組み合わせて及び任意の数にて使用することができる。同様に、角膜２０６と実質的に同様の屈折率（約１．３６ないし１．３９）、及び角膜２０６の屈折率よりも大きいか又は小さい屈折率を含む、任意の屈折率を使用することができる。
【００２８】
図１１Ｂは、方向４１０に沿って見たときのレンズ１００のこの実施の形態を示す頂面図である。この実施の形態において、レンズ１００は、頂点１０５と、全体として円形の外端縁の輪郭外形４０９とを有し、領域４０２、４０４は、それぞれ直径４０６、４０８を有する。領域４０２、４０４間の転位部は、境界面４０３と称する。この場合、領域４０２、４０３は、全体として同心状の円形の領域として配置される。領域４０２、４０３は、偏心状、半球形、不規則形及び同様のもののような任意の望ましい態様にて配置することができることを認識すべきである。また、２つ又はより多くの領域を任意の数にて具体化し、これらの領域の任意の数を互いに一体的に連結することができ又はそれらを全て連結しなくてもよい。
【００２９】
図１１Ｃは、線３−３に沿った図１１Ｂの実施の形態を示す断面図である。この場合、前面１０２の矯正部分１２２は、１つの曲率半径１０６を有して実質的に球形であり、また、後面１０３も、１つの曲率半径１０７を有して実質的に球形である。領域４０２ないし４０４に対し適した屈折率を選ぶと共に、これらの半径１０６−１０７を調節すれば、所定の人を治療するため各領域に対し適正なジオプター値を提供することができる。図１１Ｄは、この実施の形態のレンズ１００の拡大断面図であり、図１１の領域４１１をより詳細に示す。この実施の形態において、図２Ｄに示した実施の形態と同様に、レンズ１００は、斜角半径１２４と、端縁半径１２６と、湾曲した第二の端縁面部分１２８とを含む。
【００３０】
異なる屈折率を提供するため、１つの一例としての実施の形態において、領域４０２、４０４は、境界面４０３にて互いに一体的に連結された異なる材料にて製造される。例えば、領域４０２、４０４の各々は、異なる微孔性ヒドロゲル材料にて製造することができる。一例としての実施の形態において、レンズ１００は、領域４０２に相応し且つ、領域４０２の直径４０６とほぼ同一の直径を有する、図１２Ａに示したもののような中実な重合系の円筒状コア５０２を最初に形成することにより製造される。次に、このコアは、図１２Ｂに示したものと同様の態様にて単量体溶液５０３にて取り囲むことができる。重合系コア５０２は、単量体溶液５０３中にて少なくとも僅かに可溶性であることが好ましい。次に、単量体溶液５０３は、重合化して図１２Ｃに示すように、内側コア５０２を取り囲む外側重合系の円筒状領域５０４を形成することができる。外側領域５０４は、好ましくは、領域４０４に相応し、また、領域４０４の直径４０８とほぼ同一か又は僅かにより大きい直径を有するものとする。内側コア５０２及び外側領域５０４は、互いにレンズコア５０６を形成し、例えば、図１２Ｄに示したように、コア５０６を円板形状のボタン５０８に分離すること等により、該レンズコアから１つ又はより多くのレンズを製造することができる。個々のボタンの各々を所望の形状に切削又は切断し、また更に加工して（例えば、柔軟化、水化等）、個々のレンズ本体１０１を形成することができる。
【００３１】
上述したように、重合系コア５０２は、単量体溶液５０３中にて少なくとも僅かに可溶性であることが好ましい。また、溶液５０３はコア５０２の外面を溶解させ且つ、互いに分散され、また、コア５０２の溶解した部分と混合されるようにしてもよい。溶液５０３が重合化され且つ凝固したならば、コア５０２、５０４の間の境界面領域５０５を形成することができ、この場合、コア５０２、５０４内の異なるポリマーは、互いに相互に侵入する回路網を形成する。この境界面領域は、以下の図１３における境界面領域４３０に相応し且つ、領域４０２、４０４を互いに一体的に連結する。
【００３２】
図１３は、境界面領域４３０を有するレンズ１００の一例としての実施の形態を示す断面図である。領域４０２、４０４を互いに一体的に連結することにより、境界面領域は、接着剤を使用して領域４０２、４０４を接続する場合のように、領域４０２、４０４が分離する危険性を著しく減少させる。更に、境界面領域４３０は、ある屈折率を有するか又は領域４０２、４０４の屈折率間の範囲にある屈折率を有することができる。その結果、境界面領域４３０は、領域４０２、４０４間の光学的転位部として作用し且つ、レンズ１００に対し第三の多焦点領域を追加することができる。このことは、円光又は眩しさのような人為的視覚欠陥の原因となるであろう、領域４０２、４０４の屈折率間の急激又は鋭角な転位を解消することができる。
【００３３】
境界面領域４３０の幅４２０は、所望に応じて変更することができる。例えば、より幅の広い境界面領域４３０を生じさせるため、単量体溶液５０４は、重合化する前、長期間、内側コア５０２と接触した状態のままであるようにすることができ又は、単量体溶液５０４中の内側重合系コア５０２の可溶性を増すことができる。一般に、境界面領域４３０の幅が広くなればなるほど、被験者に対し多焦点領域として益々、視認し易い領域４３０となる。
【００３４】
レンズ１００は、任意の方法にて製造することができ、図１２Ａないし図１２Ｄに関して説明した例にのみ限定されるものではないことを認識すべきである。領域４０２、４０４を重合化するとき、プレポリマーの浸漬コーティング、スピニング、鋳造、及び重合化を含むが、これらにのみ限定されない、当該技術にて既知のその他の重合化方法を使用することができる。
【００３５】
別の一例としての実施の形態において、領域４０２、４０４の各々は、異なるレベルの透過率を有する形態とされている。例えば、領域４０２は、角膜２０６を実質的に支えるのに十分であるレベルの流体及び栄養物に対する透過率を有する一方、領域４０４は、流体及び栄養物に対して完全に不透過性であることを含んで、領域４０２よりも相対的に低い、流体又は流体及び栄養物の何れかに対する透過率を有することができる。このことは、より広範囲の屈折率及び（又は）構造的特徴を有するより多くの型式の材料を使用することを許容する。
【００３６】
角膜２０６を支えるのに十分な流体／栄養物の移動を許容するため、任意の不透過性領域の寸法は最小であることが好ましい。例えば、図１１Ｂに関して説明した流体及び栄養物に対して不透過性である、領域４０２の実施の形態と同様の任意の円形の中心領域は、直径が約３ｍｍ（直径４０６）以下である、すなわち約７．１平方ｍｍであることが好ましい。しかし、レンズ１００は、任意の１つの不透過性全表面積とすることに限定されず、任意の不透過性領域の寸法及び表面積は、その領域の形状及び任意の付随する領域の相対的な透過率レベルに依存することを認識すべきである。例えば、透過性領域と不透過性領域とが交互に現れる半球レンズの態様に配置された多くの同心状領域を有するレンズ１００の一例としての実施の形態は、不透過性領域の全表面積が７．１平方ｍｍ以上であることを許容する。
【００３７】
図１４Ａは、前面１０２の矯正部分１２２が異なる曲率を有する面６０２、６０４を含む、多焦点レンズ１００の別の一例としての実施の形態を示す頂面図である。面６０２、６０４は、それぞれ直径部６１０、６１２を有している。図１４Ｂは、図１４Ａの線４−４に沿ったレンズ１００の別の一例としての実施の形態の断面図である。この場合、面６０２、６０４は、各々、実質的に球形であるが、それぞれ異なる曲率半径６０５、６０６を有している。面６０２、６０４間の当接部は、境界面６０３として表示されている。面６０２、６０４の各々は、別個の距離範囲（例えば、近―遠、遠−近等）を矯正し得るよう異なるジオプター値を有する形態とすることができる。表２には、図１４Ｂに示したものと同様である多数の球形面６０２、６０４を有する５．０ミリメートル（ｍｍ）直径のレンズ１００の３つの実施の形態に対する一例としての値が示されている。３つの実施の形態の各々は、比較的遠距離（球）及び比較的近距離（ａｄｄ）に対して異なる程度の矯正を可能にする。これらの矯正値は、「球ジオプター／ａｄｄジオプター」という形式にて示されている。これらの値の全ては、単に説明の目的のためであり、植込み型レンズ１００をこれらの値又は同様の値にのみ何ら限定するものではない。
【００３８】
【表２】
2008541788.tif 000004
【００３９】
図１４Ｃは、図１４Ａの線４−４に沿ったレンズ１００の別の一例としての実施の形態を示す断面図である。この場合、面６０２、６０４の各々は、実質的に非球形である。面６０２、６０４は、各々、中心軸線１１８に沿って測定した半径６１４、６１６をそれぞれ有している。半径６１６は、面６０４が破線６２０で示したように中心軸線１１８までの全経路を渡って伸びる場合、面６０４が中心軸線１１８と交差するであろう点に相応する面６０４の仮想位置まで頂点６２２から中心軸線１１８に沿って測定したものである。
【００４０】
非球形面は、本来的に多焦点であるから、多数の非球形面を含めることは、レンズ１００に対して追加的な寸法の多焦点性を提供することになる。例えば、面６０２は、任意の非球面性（Ｑ）を有することができ、また、頂点１０５から境界面６０３まで任意の率にて変化するある範囲のジオプターを提供し且つ、比較的近距離を渡って矯正効果を提供する形態とされる一方、面６０４は、境界面６０３から境界面１２３まで任意の率にて変化するある範囲のジオプター値を有し、また、比較的遠距離に渡って矯正効果を提供する形態とすることができる。当該技術の当業者は、面６０２、６０４の各々は、任意の範囲のジオプター値を有し且つ、任意の距離を渡って矯正効果を提供することができることが容易に理解されよう。
【００４１】
表３には、図１４Ｃに示したものと同様の多数の非球形面６０２、６０４を有する直径５．０ミリメートル（ｍｍ）のレンズ１００の１つの実施の形態の一例としての値が示されている。３つの実施の形態の各々は、比較的遠距離及び比較的近距離に対して異なる程度の矯正を可能にする。これら一例としての値は、全て、単に説明のためであり、植込み型レンズ１００をこれらの値又は同様の値に限定するものではない。
【００４２】
【表３】
2008541788.tif 000005
【００４３】
図１４Ｃないし１４Ｃには示されていないが、レンズ１００は、面６０２、６０４間にてより滑らかな転位を可能にする、境界面６０３における１つ又はより多くの転位面を有することができ、それは、急激な転移は、好ましくない組織の反応を刺激する可能性があるからである。端縁面１０４及び斜角付き部分１２４は、図１４Ａないし図１４Ｃに図示されていないが、この部分は、所望に応じて含めてもよい。また、レンズ１００は、望まれるように、任意の数の多焦点面又は屈折領域を有することが可能であることを認識すべきである。実質的に球形又は実質的に非球形である多焦点面６０２、６０４は、偏心状、半球形、不規則形及び同様のものを含むが、これらにのみ限定されない、望まれる任意の態様にて配置することもできる。
【００４４】
上記の詳細な説明において、本発明は、その特定の実施の形態に関して説明した。しかし、本発明の精神及び範囲から逸脱せずに、色々な改変例及び変更を具体化することが可能であることが明らかであろう。例えば、１つの実施の形態の特徴の各々を、その他の実施の形態と組み合わせ且つ適合させることができる。別の一例として、方法の実施の形態によるステップの順序は変更することができる。当該技術の当業者に既知の特徴及び過程を、望ましいように、同様に含めることができる。更に且つ、明らかなように、特徴を、望ましいように追加し又は置換することが可能である。従って、本発明は、特許請求の範囲及びそれらの等価物に関係する場合を除いて、制限されるべきではない。
【図面の簡単な説明】
【００４５】
【図１】従来の植込み型レンズの断面図である。
【図２Ａ】植込み型レンズの一例としての実施の形態を示す斜視図である。
【図２Ｂ】植込み型レンズの別の一例としての実施の形態を示す頂面図である。
【図２Ｃ】植込み型レンズの追加的な例による実施の形態を示す断面図である。
【図２Ｄ】植込み型レンズの追加的な例による実施の形態を示す断面図である。
【図２Ｅ】植込み型レンズの追加的な例による実施の形態を示す断面図である。
【図３】一例としての実施の形態によるレンズがその内部に植え込まれた人間の眼の前部分を示す断面図である。
【図４】植込み型レンズの追加的な例による実施の形態を示す、図１の線１−１に沿った断面図である。
【図５】植込み型レンズの追加的な例による実施の形態を示す、図１の線１−１に沿った断面図である。
【図６】植込み型レンズの追加的な例による実施の形態を示す、図１の線１−１に沿った断面図である。
【図７】植込み型レンズの追加的な例による実施の形態を示す、図１の線１−１に沿った断面図である。
【図８】植込み型レンズの追加的な例による実施の形態を示す、図１の線１−１に沿った断面図である。
【図９】植込み型レンズの追加的な例による実施の形態を示す、図１の線１−１に沿った断面図である。
【図１０Ａ】植込み型レンズの別の一例としての実施の形態を示す頂面図である。
【図１０Ｂ】植込み型レンズの追加的な例による実施の形態を示す、図１０の線２−２に沿った断面図である。
【図１１Ａ】植込み型レンズの別の一例としての実施の形態を示す斜視図である。
【図１１Ｂ】植込み型レンズの別の一例としての実施の形態を示す頂面図である。
【図１１Ｃ】植込み型レンズの追加的な例による実施の形態を示す、図１１Ｂの線３−３に沿った断面図である。
【図１１Ｄ】植込み型レンズの追加的な例による実施の形態を示す、図１１Ｂの線３−３に沿った断面図である。
【図１２】１２Ａ−Ｄは、植込み型レンズを製造する一例としての方法を示す断面図である。
【図１３】植込み型レンズの別の一例としての実施の形態を示す断面図である。
【図１４Ａ】植込み型レンズの別の一例としての実施の形態を示す頂面図である。
【図１４Ｂ】植込み型レンズの追加的な例による実施の形態を示す、図１４Ａの線４−４に沿った断面図である。
【図１４Ｃ】植込み型レンズの追加的な例による実施の形態を示す、図１４Ａの線４−４に沿った断面図である。
【図１】
2008541788.tif 000006
【図２Ａ】
2008541788.tif 000007
【図２Ｂ】
2008541788.tif 000008
【図２Ｃ】
2008541788.tif 000009
【図２Ｄ】
2008541788.tif 000010
【図２Ｅ】
2008541788.tif 000011
【図３】
2008541788.tif 000012
【図４】
2008541788.tif 000013
【図５】
2008541788.tif 000014
【図６】
2008541788.tif 000015
【図７】
2008541788.tif 000016
【図８】
2008541788.tif 000017
【図９】
2008541788.tif 000018
【図１０Ａ】
2008541788.tif 000019
【図１０Ｂ】
2008541788.tif 000020
【図１１Ａ】
2008541788.tif 000021
【図１１Ｂ】
2008541788.tif 000022
【図１１Ｃ】
2008541788.tif 000023
【図１１Ｄ】
2008541788.tif 000024
【図１２Ａ】
2008541788.tif 000025
【図１２Ｂ】
2008541788.tif 000026
【図１２Ｃ】
2008541788.tif 000027
【図１２Ｄ】
2008541788.tif 000028
【図１３】
2008541788.tif 000029
【図１４Ａ】
2008541788.tif 000030
【図１４Ｂ】
2008541788.tif 000031
【図１４Ｃ】
2008541788.tif 000032